(57)【要約】【課題】本体受け輪と糞受け袋の背反する弾性力を活用することで、糞受け袋の本体受け輪への着脱操作の簡便性と袋の固定の確実性を両立させた実用性のある糞回収用具を実現する。【解決手段】円周可変のΩ状の本体受け輪の円周サイズを糞受け袋の円周より大きくし、糞受け袋の装着時に本体受け輪と袋の背反する弾性力を活用すると共に、受け輪の付け根部分に大きな窪みを付けて糞受け袋を深く折り返し装着する事により、簡易な形状ながら、袋の着脱が簡便で袋の固定保持を確実にし、複数回利用にも即応できる糞回収用具を実現した。【選択図】 図１
2015019642.tif 000002
【特許請求の範囲】
【請求項１】
金属やプラスチックなどの弾性のある素材で作られた円周可変のΩ状の本体受け輪の拡がろうとする力と、ビニールなど弾性のある素材で作られた糞受け袋の拡がるまいとする力の、２つの背反する弾性力を活用する事により、糞受け袋を簡単確実に固定し、糞受け袋の着脱が簡便で固定保持が確実である事を特徴とする犬の糞回収用具。
【請求項２】
請求項１と同一の原理の応用であるが、本体の柄の位置を入替え、受け輪がその付け根部分で交差し、縮んでいる状態を初期の構造とする。本体の柄を握り、受け輪に拡がろうとする力を発生させ、糞受け袋の拡がるまいとする力との２つの背反する弾性力を活用する事により、糞受け袋を簡単確実に固定し、糞受け袋の着脱が簡便で固定保持が確実である事を特徴とする犬の糞回収用具。
【請求項３】
本体受け輪の付け根部分に大きく抉られた窪みをつける事により、糞受け袋の折り返し範囲を大きくして袋の拡がるまいとする弾性力を強化して固定保持の確実性を高めると共に、糞受け袋を予め複数枚重ねて装着して、連続する複数回の糞受けが可能である事を特徴とする犬の糞回収用具。
【発明の詳細な説明】
【技術分野】
【０００１】
本発明は、犬の散歩時に用いる犬の糞回収用具に関するものである。
【背景技術】
【０００２】
従来から犬の糞回収用具として数多のものが提案されており、落下した後に糞を地面から回収するタイプと、地面に落下する前に直接回収するタイプの２種類に大別される。
【０００３】
地面に落下した後に糞を回収するタイプの糞回収用具は、地面に付着した糞の一部を確実に回収する事が出来ず実用性に問題がある。
【０００４】
地面に落下する前に直接回収するタイプの糞回収用具の多くは、棒の先端に受け輪を取り付け、この受け輪部分にビニールなどの糞受け袋を輪ゴムやクリップ、その他何らかの特別な部品を使用して固定保持しようとしたものである。
【０００５】
地面に落下前に直接回収するタイプの糞回収用具は、地面を汚さずに糞を回収する事が出来るが、ビニールなどの糞受け袋の受け輪への固定が確実な物は袋の着脱（装着取外し）の取扱いが煩雑であり、着脱の取扱いが簡便な物は袋の固定や保持が不確実である。
【先行技術文献】
【特許文献】
【０００６】
【特許文献１】特許公開２００１−０８６８９３号公報
【特許文献２】特許公開２００２−２２３６５６号公報
【特許文献３】特許公開２００３−００９７０７号公報
【特許文献４】特許公開２００４−２４２５２０号公報
【発明の概要】
【発明が解決しようとする課題】
【０００７】
解決しようとする問題点は、ビニールなどの糞受け袋の本体受け輪への着脱の簡便性と袋の固定保持の確実性の両立が実現できていない点である。
【課題を解決するための手段】
【０００８】
本発明は、糞受け袋の本体受け輪への着脱の簡便性と袋の固定保持の確実性の両立を実現するため、本体受け輪及び糞受け袋のそれぞれに弾性のある素材を採用し、２つの背反する弾性力を袋の固定保持に活用することを最も主要な特徴とする。
【発明の効果】
【０００９】
本発明の糞回収用具は、金属やプラスチックなどの弾性のある素材で作られた円周可変のΩ状の本体受け輪が拡がろうとし、ビニールなど弾性のある素材で作られた糞受け袋の拡がるまいとする、２つの背反する弾性力を固定に活用し、更に受け輪の付け根部分を大きく抉って糞受け袋を深く折り返し装着して弾性力を強化する事により、袋の簡便な着脱操作性と確実な固定保持機能を両立させるという利点がある。 
【図面の簡単な説明】
【００１０】
【図１】糞回収用具の全体構成を示した説明図である。（実施例1）
【図２】糞回収用具の本体受け輪と糞受け袋の固定の原理をイメージした説明図である。(実施例２)
【図３】糞回収用具の本体の形状の詳細を示した説明図である。(実施例３)
【図４】糞回収用具の糞受け袋の装着方法の手順を示した説明図である。(実施例４)
【図５】糞回収用具の実際の糞回収時の利用形態を示した説明図である。(実施例５)
【図６】糞回収用具の糞回収後の糞受け袋の取外し処理方法の手順を示した説明図である。(実施例６)
【図７】糞回収用具の糞受け袋の複数枚装着時の状態を示した説明図である。(実施例７)
【図８】糞回収用具の派生応用例を示した説明図である。(実施例８)
【発明を実施するための形態】
【００１１】
簡便な着脱操作性と確実な固定機能を両立させるという目的を、本体受け輪が拡がろうとし、糞受け袋が拡がるまいとする、２つの背反する弾性力を袋の固定保持に活用する事により実現した。
【実施例１】
【００１２】
図１は、糞回収用具の全体構成図である。本用具はビニールなど弾性のある素材で作られた糞受け袋１と、金属やプラスチックなどの弾性のある素材で作られた円周可変の本体２とで構成される。本体２の受け輪の初期円周は糞受け袋より一回り大きく作られている。
【実施例２】
【００１３】
図２は、糞回収用具の本体受け輪と糞受け袋の固定の原理を説明したイメージ図である。本体のΩ状の受け輪部分は円周可変であり、袋の装着前の本体受け輪の円周３の初期サイズは左図に示す通り糞受け袋の円周４のサイズより一回り大きく作られている。円周サイズの小さい袋を受け輪に装着する事により、右図に示す通り本体受け輪が拡がろうとし、糞受け袋が拡がるまいとする２つの背反する弾性力により、糞受け袋は本体受け輪に確実に固定される。
【実施例３】
【００１４】
図３は、本体の形状の詳細図である。円周可変のΩ状の本体受け輪部分の円周３のサイズは糞受け袋の円周サイズより一回り大きい。受け輪の付け根部分５は糞受け袋を深く折り返せる様に大きく抉られて作られている。両端の６、７は持つための柄となっている。
【実施例４】
【００１５】
図４は、糞回収用具の糞受け袋の装着方法を示した手順説明図である。準備時に、この本体受け輪の中央に糞受け袋１を上から入れ、本体の柄６、７を握って本体受け輪の円周３のサイズを縮めて、糞受け袋上部８を大きく外側へ折り返し、大きく抉られた受け輪の付け根部分５にも折りこんで、本体の柄６、７の収縮を緩める。これにより、本体受け輪の円周３の拡がろうとするとする力と糞受け袋１の拡がるまいとする力により、糞受け袋は本体受け輪に簡単確実に固定保持される。
【実施例５】
【００１６】
図５は、実際の糞回収時の利用形態図である。犬の排便時に犬の肛門９の直下で糞回収用具１、２を保持し、犬の糞１０を直接受け回収する。
【実施例６】
【００１７】
図６は、糞回収用具の糞回収後の糞受け袋の取外し処理方法を示した手順説明図である。糞回収後に、本体の柄６、７を握って受け輪の円周３のサイズを縮めて、大きく折り返されている糞受け袋上部８を折り戻し、糞受け袋を本体受け輪から取り外し、糞受け袋の中央を結び、自宅まで携行し処分する。
【実施例７】
【００１８】
図７は、糞受け袋の複数枚装着時の状態を示した説明図である。１回の散歩で複数回使用する必要がある場合は、必要枚数を重ねて準備する事も可能である。準備時に糞受け袋１と同一規格の２回目に使用する糞受け袋１１の内側に１回目に使用する糞受け袋１を左の状況図の様に重ね入れる。重ねられた２枚の袋をそのまま右の断面図の様に本体２にセットする。１回目の使用後に糞受け袋１を上へ取り出せば、既に２回目に使用する糞受け袋１１がセットされた状態になっており、新たに糞受け袋を装着する事無く直ちに使用する事が出来る。３回以上の使用の場合は、その必要枚数を重ねて準備する。
【実施例８】
【００１９】
図８は、本発明の派生応用例の説明図である。弾性力活用の原理の応用であるが、本体の柄６、７の位置を入替え、受け輪がその付け根部分で交差し、縮んでいる状態を初期の構造とする。本体受け輪の円周を糞受け袋の円周より小さいままの状態で糞受け袋を装着し、その後に本体の柄６、７を握って受け輪円周を拡げ固定し、その受け輪の拡がろうとする力と糞受け袋の拡がるまいとする力を活用し、同様の固定保持効果を生じさせる。受け輪の形状は円に拘わる必要は無く、楕円、多角形等でも良い。
【符号の説明】
【００２０】
１．糞受け袋
２．本体
３．本体受け輪の円周
４．糞受け袋の円周
５．大きく抉られた受け輪の付け根部分
６．本体の柄
７．本体の柄
８．糞受け袋上部
９．犬の肛門
１０． 犬の糞
１１．２回目に使用する糞受け袋
【図１】
2015019642.tif 000003
【図２】
2015019642.tif 000004
【図３】
2015019642.tif 000005
【図４】
2015019642.tif 000006
【図５】
2015019642.tif 000007
【図６】
2015019642.tif 000008
【図７】
2015019642.tif 000009
【図８】
2015019642.tif 000010